(57)【要約】      （修正有）【課題】系統解析のエラーを減らす電力系統解析装置及び電力系統解析方法を提供する。【解決手段】電力系統解析方法は、系統データを分析するステップＳ１１１と、分析された前記系統データ及び設定された縮約レベルに基づいて前記系統データを縮約するステップＳ１１５と、機器と前記機器に連動されたＨＶＤＣ系統をモデリングするステップＳ１１７と、モデリングされた結果を前記縮約された系統データに反映するステップＳ１１９と、を含む。【選択図】図８
2017022978.tif 000002
【特許請求の範囲】
【請求項１】
系統データを分析するステップと、
分析された前記系統データ及び設定された縮約レベルに基づいて前記系統データを縮約するステップと、
機器と前記機器に連動されたＨＶＤＣ系統をモデリングするステップと、
モデリングされた結果を前記縮約された系統データに反映するステップと、を含む電力系統解析方法。
【請求項２】
前記系統データを縮約するステップは、
縮約に利用される第２ソフトウェアツールのバージョンを設定するステップと、
前記系統データの縮約のための前記系統データを入力するステップと、
前記系統データの縮約レベルを設定するステップと、
前記系統データの縮約のためのシミュレーション関連時間情報を入力するステップと、
設定された前記第２ソフトウェアツールのバージョン、入力された前記系統データ、設定された前記縮約レベル及び入力された前記シミュレーション関連時間情報に基づいて前記系統データの縮約を行うステップと、を含む請求項１に記載の電力系統解析方法。
【請求項３】
縮約に利用される前記第２ソフトウェアツールのバージョンを設定するステップは、前記第２ソフトウェアツールのバージョンを分析に利用される第１ソフトウェアツールのバージョンに設定するステップを含む請求項２に記載の電力系統解析方法。
【請求項４】
前記第１ソフトウェアツールはＰＳＳ／Ｅソフトウェアツールで、前記第２ソフトウェアツールはＥ‐ＴＲＡＮソフトウェアツールである請求項３に記載の電力系統解析方法。
【請求項５】
前記系統データの縮約のための前記系統データを入力するステップは、分析された前記系統データ、ダイナミックデータ及びシーケンスデータのうち少なくとも１つが入力されるステップを含む請求項２に記載の電力系統解析方法。
【請求項６】
前記系統データの縮約レベルを設定するステップは、分析された前記系統データの基準母線を設定するステップと、設定された前記基準母線を基準に縮約レベルを設定するステップと、を含む請求項２に記載の電力系統解析方法。
【請求項７】
前記シミュレーション関連時間情報は、ＰＳＣＡＤ Ｔｉｍｅ Ｓｔｅｐ、ＰＳＣＡＤ Ｆｉｎｉｓｈ Ｔｉｍｅ、ＰＳＣＡＤ Ｓｎａｐｓｈｏｔ Ｔｉｍｅ、ＰＳＣＡＤ Ｐｌｏｔ Ｓｔｅｐ及びＦｕｎｄａｍｅｎｔａｌ Ｆｒｅｑｕｅｎｃｙのうち少なくとも１つ以上を含む請求項２に記載の電力系統解析方法。
【請求項８】
前記系統データの縮約を行うステップは、縮約の結果を反映するｈｔｍｌファイル、ｐｓｃファイル及びｌｏｇファイルを生成するステップを含む請求項２に記載の電力系統解析方法。
【請求項９】
分析された前記系統データ及び前記縮約された系統データをデータベースに記憶するステップをさらに含む請求項１に記載の電力系統解析方法。
【請求項１０】
前記反映された系統データに基づいてＳＳＲ（Ｓｕｂ‐Ｓｙｎｃｈｒｏｎｏｕｓ Ｒｅｓｏｎａｎｃｅ）解析を行うステップをさらに含む請求項１に記載の電力系統解析方法。
【請求項１１】
前記機器は発電機を含む請求項１に記載の電力系統解析方法。
【請求項１２】
系統データを分析する分析部と、
分析された前記系統データ及び設定された縮約レベルに基づいて前記系統データを縮約する縮約部と、
機器と前記機器に連動されたＨＶＤＣ系統をモデリングし、前記モデリングされた結果を前記縮約された系統データに反映するモデリングモジュールと、を含む電力系統解析装置。
【請求項１３】
前記機器は発電機を含む請求項１２に記載の電力系統解析装置。
【請求項１４】
前記設定されたレベルは２２．９ｋＶ母線、１５４ｋＶ母線、３４５ｋＶ母線及び７６５ｋＶ母線のうち１つである請求項１２に記載の電力系統解析装置。
【請求項１５】
前記分析部は第１ソフトウェアツールを具備し、
前記縮約部は第２ソフトウェアツールを具備しており、
前記モデリングモジュールは第３ソフトウェアツールを具備する請求項１２に記載の電力系統解析装置。
【発明の詳細な説明】
【技術分野】
【０００１】
本発明は電力系統解析装置及び電力系統解析方法に関するものである。
【背景技術】
【０００２】
国家経済の成長及び国民生活水準の向上に伴い、使用の利便性と国家経済成長の原動力である電力消費は持続的に増加しており、電力需要の増大によって電力系統が複雑化、多様化、大規模化されつつある。しかし、２００３年度に北米地域及び欧州などで発生した大規模な停電事故は、電力系統に関する資料の取得及び監視制御システムの脆弱性に起因して初期に小規模な事故を迅速に感知、対応できなかったために全体電力系統に波及拡散された結果である。これによりエネルギー管理システムの電力系統に関する全般的な運営状態の資料取得や系統解析及び遠隔感知制御に対する重要性が浮上している。つまり、複雑化、多様化、大規模化される電力系統を解析する方法がますます重要になっている。
【０００３】
近年、高電圧直流送電システム（ＨＶＤＣ：Ｈｉｇｈ Ｖｏｌｔａｇｅ Ｄｉｒｅｃｔ‐Ｃｕｒｒｅｎｔ Ｓｙｓｔｅｍ）を利用して電力を直流で送電する技術が盛んに研究されている。一方、電力系統解析用ソフトウェアツールとしてはＰＳＳ／ＥソフトウェアツールとＰＳＣＡＤソフトウェアツールが広く使われている。
【発明の概要】
【発明が解決しようとする課題】
【０００４】
ＰＳＳ／Ｅソフトウェアツールは、静的状態（ｓｔｅａｄｙ ｓｔａｔｅ）条件、そして動的状態（ｄｙｎａｍｉｃ ｓｔａｔｅ）条件で送電網及び発電力評価などの電力系統特性を模擬、解析及び最適化するためのソフトウェアツールで、全体電力系統を大略的に解析できるが、あまりにも多い系統データを取り扱うためにエラーが頻繁に発生する。加えて、ＰＳＳ／Ｅソフトウェアツールは、例えば、ＨＶＤＣや周辺発電機のような追加要素に対するデータなどを新たに反映できない問題がある。
【０００５】
これに対し、ＰＳＣＡＤソフトウェアツールは部分的な電力系統を解析するソフトウェアツールで、ＨＶＤＣモデリングを介した電力系統を解析するソフトウェアツールであるが、他の電力系統と連係されない問題がある。したがって、従来の電力系統解析用ソフトウェアツールでは既存に利用している電力系統のみならずＨＶＤＣや発電機のような追加的な系統を含んだ統合的な解析が不可能であるといった問題がある。
【０００６】
本発明は、前述した問題及び他の問題を解決することを目的とする。本発明の他の目的は、系統解析のエラーを減らす電力系統解析装置及び電力系統解析方法を提供することにある。本発明のさらなる他の目的は、ＨＶＤＣを含む全体電力系統を容易に解析できるだけでなく、発電機のような追加要素を反映できる電力系統解析装置及び電力系統解析方法を提供することにある。
【課題を解決するための手段】
【０００７】
前記目的を達成するために本発明の一側面によると、電力系統解析装置は、系統データを分析する分析部と、分析された前記系統データ及び設定された縮約レベルに基づいて前記系統データを縮約する縮約部と、機器と前記機器に連動されたＨＶＤＣ系統をモデリングし、モデリングされた結果を前記縮約された系統データに反映するモデリングモジュールと、を含む。
【０００８】
本発明の他の側面によると、電力系統解析方法は、系統データを分析するステップと、分析された前記系統データ及び設定された縮約レベルに基づいて前記系統データを縮約するステップと、機器と前記機器に連動されたＨＶＤＣ系統をモデリングするステップと、モデリングされた結果を前記縮約された系統データに反映するステップと、を含む。
【発明の効果】
【０００９】
本発明による電力系統解析装置の効果について説明すると、以下の通りである。本発明の実施形態のうち少なくとも１つによると、すべての系統データを分析することなく特定の縮約レベルに該当する母線を中心に系統データの縮約及び分析が行われることで、全体系統データに対するデータ分析によるエラーが発生する問題を解消することができる。このように、全体データ分析の代わりにデータ縮約を介した分析が可能なため、データ分析にかかる時間を画期的に減らすことができる。また、本発明の実施形態のうち少なくとも１つによると、発電機と連動されるＨＶＤＣ系統も系統解析に含ませることで、電力系統の汎用性と適用可能性を拡張できる。
【図面の簡単な説明】
【００１０】
【図１】本発明の一実施形態による電力系統解析装置を示すブロック図である。
【図２】系統縮約部における動作を説明するフローチャートである。
【図３】系統縮約部における動作を説明する画面例を示した図である。
【図４】系統縮約部における動作を説明する画面例を示した図である。
【図５】系統縮約部における動作を説明する画面例を示した図である。
【図６】系統縮約部における動作を説明する画面例を示した図である。
【図７】系統縮約部における動作を説明する画面例を示した図である。
【図８】本発明の一実施形態による系統データ解析方法を示すフローチャートである。
【発明を実施するための形態】
【００１１】
以下、添付された図面を参照して本明細書に開示された実施形態を詳細に説明する。説明にあたって、図面の符号と関係なく同一または類似の構成要素には同一の参照番号を付し、これに対する重複説明を省略する。以下の説明で使われる構成要素に対する接尾辞「モジュール」及び「部」は、明細書作成上の容易さのみを考慮して付与または混用されるものであって、それ自体で互いに区別される意味または役割を有するものではない。また、本明細書に開示された実施形態の説明にあたって、関連した公知技術に対する具体的な説明が本明細書に開示された実施形態の要旨を曖昧にすると判断される場合は、その詳細な説明を省略する。また、添付された図面は本明細書に開示された実施形態を容易に理解できるようにするためのものであって、添付図面によって本明細書に開示された技術的思想を制限するものでなく、本発明の技術的思想及び技術範囲に含まれるすべての変更、均等物乃至代替物を含むものと理解すべきである。
【００１２】
図１は、本発明の一実施形態による電力系統解析装置を示すブロック図である。図１を参照すると、本発明の一実施形態による電力系統解析装置は系統データ分析部１０、系統データ縮約部２０、モデリングモジュール３０及びデータベース４０を含む。
【００１３】
ここで、系統データ分析部１０は第１ソフトウェアツールを具備し、系統データ縮約部２０は第２ソフトウェアツールを具備しており、モデリングモジュール３０は第３ソフトウェアツールを具備しているが、これに限定されない。例えば、第１ソフトウェアツールはＰＳＳ／Ｅソフトウェアツールで、第２ソフトウェアツールはＥ‐ＴＲＡＮソフトウェアツールであり、第３ソフトウェアツールはＰＳＣＡＤソフトウェアツールであり得るが、これに限定されない。
【００１４】
系統データ分析部１０は第１ソフトウェアツールを利用して系統データを分析する。系統データ分析部１０は電力系統から収集可能なすべての系統データを分析する。電力系統は２２．９ｋＶ電力系統、１５４ｋＶ電力系統、３４５ｋＶ電力系統及び７６５ｋＶ電力系統を含んでもよい。
【００１５】
系統データには発電機関連データ、変圧器関連データ、母線関連データ、負荷関連データが含まれる。例えば、各関連データとしてはタイプ、容量、特性などがある。系統データ分析部１０はこれらのすべての電力系統から収集された系統データを分析する。
【００１６】
前述したように、収集された系統データに基づいてＨＶＤＣが設置される母線の潮流計算、短絡容量、故障電流などが分析される。また、近隣の発電機母線と負荷母線に対する出力量と負荷量に対する需給も分析される。
【００１７】
このような分析によって、潮流計算、故障電流計算及び短絡容量計算を含む状態安定度とＨＶＤＣ／ＦＡＣＴＳ／発電機などのような同期機に対する動特性を解析するための過度安定度が解析される。系統データ分析部１０で分析された系統データはデータベース４０に記憶される。
【００１８】
系統データ縮約部２０は系統データ分析部１０で分析された系統データを縮約する。系統縮約のための系統データは系統データ分析部１０から系統データ縮約部２０に送信されるか、または系統データ分析部１０から分析された系統データがデータベース４０に記憶されていて、系統データ縮約部２０の要請に応答して記憶された系統データが系統データ縮約部２０に送信されるが、これに限定されない。
【００１９】
図２を参照して系統データ縮約部２０を具体的に説明する。図２は、本実施形態の系統データ縮約部２０の動作方法を説明するフローチャートである。
【００２０】
図２を参照すると、系統データ縮約部２０は系統データ縮約部２０のバージョンを設定する（Ｓ２１）。まず、系統データ分析部１０に設置されて動作する第１ソフトウェアツールのバージョンが選択されて入力される。図３に示すように、系統データ分析部１０に設置されて動作するＰＳＳ／ＥソフトウェアツールのバージョンがＶ３３である場合、Ｖ３３が選択されて入力される。続いて、系統データ分析部１０に設置されて動作する第１ソフトウェアツールのバージョンで系統データ縮約部２０に設置された第２ソフトウェアツールのバージョンを設定する。例えば、系統データ分析部１０に設置されて動作するＰＳＳ／Ｅソフトウェアツールのバージョンとして、例えばＶ３３で系統データ縮約部２０に具備されたＥ‐ＴＡＲＮソフトウェアツールのバージョンが設定される。
【００２１】
もし、系統データ縮約部２０に具備された第２ソフトウェアツールのバージョンが系統データ分析部１０に設置されて動作する第１ソフトウェアツールのバージョンと異なる場合、モデリングモジュール３０に設置された第３ソフトウェアツールで系統データ縮約されたファイルがシミュレーションされないことがある。
【００２２】
再び図２を参照すると、系統データ縮約部２０は系統データ縮約のためのデータを入力する（Ｓ２３）。系統データ縮約のためのデータとしては、系統データ分析部１０で分析された系統データが選択されて入力されるか、またはダイナミック（Ｄｙｎａｍｉｃ）データが選択されて入力される。ダイナミックデータは動特性を有する機器の系統データを意味する。
【００２３】
図４に示すように、系統データ分析部１０で分析された系統データはＳｅｌｅｃｔ ＰＳＳ／Ｅ Ｌｏａｄ ｆｌｏｗ Ｉｎｐｕｔ Ｆｉｌｅ項目に入力され、ダイナミックデータはＳｅｌｅｃｔ ＰＳＳ／Ｅ Ｄｙｎａｍｉｃ Ｉｎｐｕｔ Ｆｉｌｅ項目に入力される。
【００２４】
追加的に、多様な故障種類別の精密な故障解析のために系統構成のシーケンスデータが入力されるが、このようなシーケンスデータは図４に示すようにＳｅｌｅｃｔ ＰＳＳ／Ｅ Ｓｅｑｕｅｎｃｅ Ｉｎｐｕｔ Ｆｉｌｅ項目に入力される。過度安定度解析にはこのような入力が省略されるが、これに限定されない。
【００２５】
過度安定度解析とは、電力系統に発電機脱着、負荷急変、地絡、短絡などの急激な動きに対して発電機が安定状態を維持するように解析することを意味する。また、ＨＶＤＣ／ＦＡＣＴＳ／発電機などのような同期機に対する動特性を解析するために安定度解析が行われる。
【００２６】
ＦＡＣＴＳ（Ｆｌｅｘｉｂｌｅ ＡＣ Ｔｒａｎｓｍｉｓｓｉｏｎ Ｓｙｓｔｅｍ）は大容量インバータを用いて電力系統を高速精密制御する技術として、電力系統の安定性向上、送電容量増大、電力品質向上及び送電費用低減を具現する。
【００２７】
加えて、変換されるＰＡＳＣＡＤデータのバージョンが入力されるが、このようなＰＡＳＣＡＤデータのバージョンは図４のＳｅｌｅｃｔ ＰＳＣＡＤ Ｏｕｔｐｕｔ Ｃａｓｅ Ｆｉｌｅ項目に入力される。
【００２８】
再び図２を参照すると、系統データ縮約部２０は縮約レベルを設定する（Ｓ２５）。縮約レベル設定は、まず系統データ分析部１０で分析された系統データの基準母線が設定され、該当基準母線から何番目のレベルまで系統縮約されるかを設定するプロセスで実行される。例えば、図５に示すようにＣｏｎｖｅｒｔ Ｅｎｆｉｒｅ Ｃｉｒｃｕｉｔウィンドウに所望のＰＳＳ／Ｅ系統データの母線が設定され、Ｂｕｓｓｅｓ Ｂａｃｋウィンドウに該当基準母線から何番目のレベルまで系統縮約するかが設定される。
【００２９】
例えば、Ｂｕｓｓｅｓ Ｂａｃｋウィンドウに「３」が設定されれば、該当基準母線から３レベルまで連係された母線がＰＡＳＣＡＤ内の縮約系統内で細部的に現れ、３レベル以降の母線の場合はＳＣＲ（Ｓｈｏｒｔ Ｃｉｒｃｕｉｔ Ｒａｔｉｏ）値に反映された発電機母線と負荷母線などに縮約されて現れる。ここで、レベルとは２２．９ｋＶ母線、１５４ｋＶ母線、３４５ｋＶ母線及び７６５ｋＶ母線のうち１つであってもよい。例えば、１レベルは７６５ｋＶ母線で、２レベルは３４５ｋＶ母線で、３レベルは１５４ｋＶ母線であり、４レベルは２２．９ｋＶ母線であるが、これに限定されない。
【００３０】
このように特定レベルが設定されることで、すべての系統データを分析することなく特定レベルに該当する母線を中心に系統データ縮約及び分析が行われるため、全体系統データに対するデータ分析によるエラーが発生する問題が解消される。なお、このように全体データ分析の代わりにデータ縮約による分析でデータ分析にかかる時間を画期的に減らすことができる。
【００３１】
再び図２を参照すると、系統データ縮約部２０はシミュレーション関連時間情報を入力する（Ｓ２７）。図６に示すように、シミュレーション関連時間情報としてはＰＳＣＡＤ Ｔｉｍｅ Ｓｔｅｐ、ＰＳＣＡＤ Ｆｉｎｉｓｈ Ｔｉｍｅ、ＰＳＣＡＤ Ｓｎａｐｓｈｏｔ Ｔｉｍｅ、ＰＳＣＡＤ Ｐｌｏｔ Ｓｔｅｐ及びＦｕｎｄａｍｅｎｔａｌ Ｆｒｅｑｕｅｎｃｙのうち少なくとも１つ以上が含まれる。
【００３２】
ＰＳＣＡＤシミュレーションタイムステップ（ＰＳＣＡＤ  Ｔｉｍｅ Ｓｔｅｐ）は、シミュレーションをいつまで回して該当グラフの結果値にどれくらいのステップを与えて表現するかに関する入力値である。例えば、シミュレーションの総時間が１０秒で、該当する１０秒の間にグラフが書ける点に０．１秒ごとのタイムステップを与えて０．１秒ごとに点で表すと１本の線を書くことができる。
【００３３】
ＰＳＣＡＤ Ｆｉｎｉｓｈ Ｔｉｍｅはシミュレーションの総時間（前記例示で１０秒）で、ＰＳＣＡＤ Ｓｎａｐｓｈｏｔ Ｔｉｍｅはシミュレーション進行中にシミュレーションの結果をグラフで確認しようとする時間であり、ＰＳＣＡＤ Ｐｌｏｔ Ｓｔｅｐはシミュレーション結果値に対してグラフを表す時間（前記例示で０．１秒）であり、Ｆｕｎｄａｍｅｎｔａｌ Ｆｒｅｑｕｅｎｃｙはシミュレーションをしようとするシステムの周波数（国内では通常６０Ｈｚを使用する）である。
【００３４】
再び図２を参照すると、系統データ縮約部２０は以上のように選択または入力されたデータに基づいてデータ縮約を行う（Ｓ２９）。データ縮約の実行でＰＳＳ／Ｅ系統データが縮約されてＰＳＣＡＤファイルに変換され、図７に示すように様々な形式のファイルが生成されてデータベース４０に記憶される。様々な形式のファイルは例えば、ｈｔｍｌファイル、ｐｓｃファイル及びｌｏｇファイルであってもよい。
【００３５】
このように系統データ縮約部２０で縮約された系統データはデータベース４０に記憶される。また、このように縮約された系統データはモデリングモジュール３０に送信され、モデリングモジュール３０によって系統データが解析される。この系統データの解析を介して系統の状況、故障可能性、性能などが把握される。
【００３６】
再び図１を参照すると、モデリングモジュール３０は発電機モデリングと発電機に連動されたＨＶＤＣモデリングを行い、モデリングされた結果を縮約された系統データに反映する。本実施形態におけるＨＶＤＣは電流型ＨＶＤＣを使用し、発電機はＭａｓｓモデル発電機を使用しているが、これに限定されない。
【００３７】
モデリングされた結果として出力されるデータは該当モデルと連動された系統の安定度である。例えば、発電機と連動されたＨＶＤＣ系統の安定度がモデリングされた結果として出力される。モデリングされた結果が縮約された系統データに反映されることで、機器の健全性及び系統の安定度が確認される。
【００３８】
ここで、発電機はＨＶＤＣと連係された発電所に具備された発電機で、ＨＶＤＣと連係されて多数の発電所が具備される場合、各発電所とＨＶＤＣ間のＳＳＲ（Ｓｕｂ‐Ｓｙｎｃｈｒｏｎｏｕｓ Ｒｅｓｏｎａｎｃｅ）解析が必要である。
【００３９】
ＳＳＲは、大型タービン発電機の軸系統とＨＶＤＣシステムの整流器（Ｒｅｃｔｉｆｉｅｒ）制御器間で軸ねじれ振動の減衰に悪影響を及ぼすので、制御定数を適切にチューニングするか、または軸ねじれ振動が悪い場合は適切な軸ねじれダンピング制御器がＨＶＤＣ Ｒｅｃｔｉｆｉｅｒ制御器に補助制御器として付加されることが必要である。つまり、ＳＳＲ現象とは、発電機と送電線路から成る電気システムがタービン発電機などで構成された機器システムと同期周波数より低い周波数範囲でエネルギーを相互交換する状態を意味する。このようにＳＳＲが発生する重要な理由は、システムが電気的な撹乱を受けた際に、伝送線路の直列キャパシタの静電エネルギーとインダクタンスの磁気エネルギーとの間で交換が行われることで、ネットワークに定格周波数より小さいＳｕｂ‐Ｓｙｎｃｈｒｏｎｏｕｓ周波数での振動を発生させる現象に起因する。
【００４０】
本実施形態では、ＨＶＤＣ系統やＨＶＤＣ系統と連係された発電機モデルリングの結果が縮約された系統データに反映され、このように反映された系統データに基づいてＳＳＲ解析が可能になる。
【００４１】
図８は、本発明の一実施形態による系統データ解析方法を示すフローチャートである。図１及び図８を参照すると、まず系統データ分析部１０は予め収集された系統データに基づいて系統データ分析を行う（Ｓ１１１）。系統データは電力系統から収集可能なすべてのデータである。電力系統は２２．９ｋＶ電力系統、１５４ｋＶ電力系統、３４５ｋＶ電力系統及び７６５ｋＶ電力系統を含んでもよい。例えば、系統データには発電機関連データ、変圧器関連データ、母線関連データ、負荷関連データなどが含まれる。例えば、各関連データとしてタイプ、容量、特性などがある。
【００４２】
続いて、系統データ縮約部２０は系統縮約のための母線と縮約レベルを設定する（Ｓ１１３）。系統データ縮約部２０では、図２に示すように、系統データ縮約部２０のバージョンが設定され、シミュレーション関連時間情報が入力される。系統データ分析部１０によって分析された系統データはデータベース４０に記憶される。
【００４３】
系統データ縮約部２０は分析された系統データのうち系統縮約をしようとする母線を設定し、母線から系統縮約しようとするレベルを設定する。このように母線と縮約レベルが設定されれば、該当母線を基準に設定された縮約レベルまでに限って系統縮約が行われる。このように縮約レベルの調節によって系統縮約の範囲が変わる。例えば、３４５ＫＶのレベルが設定される場合、３４５ＫＶ以上級として３４５ＫＶ系統と７６５ＫＶ系統に連結された母線に対する系統縮約が行われ、３４５ＫＶ以下級の１５４ＫＶ系統については系統縮約が行われなくなる。
【００４４】
系統データ縮約部２０は、第２ソフトウェアツールのバージョンが系統データ分析に利用された第１ソフトウェアツールのバージョンに設定されるようにし、シミュレーション条件に係るデータが入力され、変換されるＰＳＣＡＤデータのバージョンが入力される。系統データ縮約部２０は、このように設定された母線と系統縮約レベルに基づいて系統データの縮約を行う（Ｓ１１５）。系統データの縮約を行った結果は、ＰＳＣＡＤデータバージョンに変換され、様々な形式、例えばｈｔｍｌファイル、ｐｓｃファイル及びｌｏｇファイルが生成され、データベース４０に記憶される。
【００４５】
モデリングモジュール３０は、発電機モデリングと発電機に連動されたＨＶＤＣモデリングを行う（Ｓ１１７）。本実施形態ではＨＶＤＣモデリングと発電機モデリングが第３ソフトウェアツールを利用して行われる。このように実行されたモデリングの結果として、発電機と連動されたＨＶＤＣ系統の安定度が出力される。
【００４６】
モデリングモジュール３０は発電機モデリングの結果及びＨＶＤＣモデリングの結果を縮約された系統データに反映する（Ｓ１１９）。このようにモデリングされた結果が縮約された系統データに反映されることで、発電機の健全性及びＨＶＤＣ系統の安定度が確認される。このような発電機の健全性及びＨＶＤＣ系統の安定度は上述したようなＳＳＲ解析によって確認される。
【００４７】
上記の詳細な説明は限定的に解釈してはならず、例示的なものとして考慮されるべきである。本発明の範囲は、添付した請求項の合理的な解釈によって決定されなければならず、本発明の均等の範囲内における変更はいずれも本発明の範囲に含まれる。
【符号の説明】
【００４８】
１０  系統データ分析部（分析部）
２０  系統データ縮約部（縮約部）
３０  モデリングモジュール
４０  データベース
【図１】
2017022978.tif 000003
【図２】
2017022978.tif 000004
【図３】
2017022978.tif 000005
【図４】
2017022978.tif 000006
【図５】
2017022978.tif 000007
【図６】
2017022978.tif 000008
【図７】
2017022978.tif 000009
【図８】
2017022978.tif 000010